(57)【要約】【課題】プローブ先端形状が変化しても針入抵抗の変化を小さくでき、研磨層（クリーナ層）に対する針入量のバラツキを小さくして全てのテストプローブを均一にクリーニングする。また表面での付着物捕捉作用を増大させてテストの信頼性向上と製品の歩止まり向上を可能にする。【解決手段】微細な研磨剤が混入されかつテストプローブ（１６，１８）の先端が進入可能な研磨層（４２）と、この研磨層（４２）の少なくとも一方の表面に積層され高分子ゲルから成る表面層（４４）とを備え、テストプローブ（１６，１８）の先端を表面層（４４）から研磨層（４２）に進入させることによりクリーニングする。【選択図】図３
2012198024.tif 000002
【特許請求の範囲】
【請求項１】
電子回路の検査に用いるテストプローブの先端の付着物を除去するテストプローブ用のクリーニングパッドにおいて、
微細な研磨材が混入されかつ前記テストプローブの先端が進入可能な研磨層と、
この研磨層の少なくとも一方の表面に積層され高分子ゲルから成る表面層とを備え、
前記テストプローブの先端を前記表面層から研磨層に進入させることによりクリーニングするテストプローブ用のクリーニングパッド。
【請求項２】
表面層の厚さを３mm以上とした請求項１のクリーニングパッド。
【請求項３】
表面層はシリコーンゲルおよびウレタンゲルの少なくとも一方を含む請求項１のクリーニングパッド。
【請求項４】
研磨層は高分子コンパウンドを硬化したものである請求項１のクリーニングパッド。
【請求項５】
研磨層は微細な研磨材を混入した高分子ゲルである請求項１のクリーニングパッド。
【請求項６】
共通な高分子ゲルに混入する研磨材の分布を厚さ方向に不均一とし、研磨材の混入量が多い領域を研磨層とし少ない領域を表面層とする請求項５のクリーニングパッド。
【請求項７】
表面層はＡＳＫＡＲのＣ硬度で１〜１０度、Ａ硬度で５〜３０の柔らかさを有する請求項１のクリーニングパッド。
【請求項８】
表面層は研磨層の両面に積層されている請求項１のクリーニングパッド。
【請求項９】
表面層に含まれる高分子ゲルは、テストプローブの進入穴の跡を自己修復するものである請求項１のクリーニングパッド。
【請求項１０】
プローブプレートに保持したテストプローブの先端を、請求項１のクリーニングパッドに突き刺すことにより、テストプローブの先端の付着物を除去することを特徴とするテストプローブのクリーニング方法。
【請求項１１】
クリーニングパッドにプローブプレートを押し付けた時にクリーニングパッドの表面層がプローブプレートの表面に接触するようにクリーニングパッドの表面層の厚さを設定しておく請求項９のテストプローブのクリーニング方法。
【請求項１２】
テストプローブおよびクリーニングパッドの少なくとも一方に振動を加えながらテストプローブの先端をクリーニングする請求項１０または１１のテストプローブのクリーニング方法。
【発明の詳細な説明】
【技術分野】
【０００１】
この発明は、プリント配線板、電子部品等の電子回路の電気特性を検査するテストプローブの針先をクリーニングするために用いるテストプローブ用のクリーニングパッドとテストプローブのクリーニング方法とに関するものである。
【背景技術】
【０００２】
電子部品（電気部品）を実装したプリント配線板、電子部品を実装する前のプリント配線板、多数の集積回路（ＩＣ）を形成したウェハ（シリコン基板）などの電子回路（電気回路）では、組立あるいは加工工程の途中や組立・加工後に回路の検査（テスト）を行っている。この検査は、例えば針状の多数のテストプローブを回路の所定位置に接触させ、各テストプローブに接続したコンピュータによってテストプローブ間の電気特性を計測することにより行う。
【０００３】
ここにテストプローブは、プローブプレート（プローブカード）の所定位置に貫通させて保持しておき、このプローブプレートを検査対象となるプリント配線板等に対向させて、テストプローブの先端を電子回路に接触させる。なおテストプローブはばね内蔵式のものや先端が弾性をもって湾曲するもの（ワイヤープローブ）であり、先端部分は弾性をもって押込みあるいは湾曲可能である。
【０００４】
テストプローブはその先端が回路基板（プリント配線板等）の電子回路に接触する時に、電子回路に付いたハンダ、フラックス、酸化物などの付着物がテストプローブ先端に強固の付着することが避けられない。テストプローブに付着物が付着しているとその後で行うテストの信頼性が低下する。テストプローブと電子回路との電気接続が不確実になったり電気的特性が変化するからである。またこの付着物が周囲に飛散してパーティクルの発生源となり、電子回路、半導体ウェハに付着すると、製品の信頼性低下の原因ともなる。
【先行技術文献】
【特許文献】
【０００５】
【特許文献１】特開平１０−３３９７６６
【０００６】
このようにテストプローブに付着する付着物を除去するためのクリーニングパッド（ソフトクリーナ）が特許文献１に開示されている。ここに開示されたクリーニングパッドは、ゴム（シリコンゴムなど）からなる基材と、この基材中に分散する砥粒（微粒体）とでクリーナ層を構成するものである。すなわちテストプローブ先端をこのクリーナ層に突き刺して付着物をゴムおよび砥粒により削り取り、付着物をゴム基材内部に捕捉するものである。
【０００７】
またこの特許文献１には、シリコンゴム基材に砥粒を分散させ重合開始剤を加えて熟成させることによってコンパウンドとし、このコンパウンドをシリコン基板上に塗布し、加熱、加圧、成形してコンパウンドの生ゴムを重合させ硬化させることが示されている。この時にシリコンゴムの表面に極めて平滑で多少粘着性があるスキン被膜（２Ａ）を形成し、ここに付着物を捕捉することが示されている（段落００１７）。さらにクリーナ層の表面をシリコンゴムからなるゴム薄膜（４Ａ）で被覆することにより、クリーナ層でプローブから除去できなかった残留付着物を、このゴム薄膜（４Ａ）の弾力で確実に除去することができると説明している（段落００２５、００２６）。
【発明の概要】
【発明が解決しようとする課題】
【０００８】
特許文献１にはクリーナ層の厚さｔは５００〜１０００μｍが好ましく（段落００１６）、この場合にテストプローブはクリーナ層に１００μｍ程度突き刺さる（段落００２０）、という説明がある。
【０００９】
またクリーナ層の表面をゴム薄膜（４Ａ）で被覆する場合には、クリーナ層の厚さを７００μｍとしてゴム薄膜を２０〜３０μｍの厚さに形成するのが好ましいとしている（段落００２５）。
【００１０】
このようにクリーナ層の表面に粘着性があるスキン被膜（２Ａ）を形成するものでは、スキン被膜が極めて薄いために付着物の捕捉作用が不十分であり、プローブからの付着物除去の信頼性が低いという問題がある。
【００１１】
またクリーナ層の表面を別のゴム薄膜（４Ａ）で被覆するものでは、このゴム薄膜を厚くするとテストプローブの進入（針入）抵抗が増大する。通常ばね内蔵式のテストプローブは、ばねを内蔵するピンソケットに、プローブ先端となるピンを伸縮自在に装着したものであるが、先端形状は種々あって、接触する電子回路の部分により使い分けている。例えば平面状の電極パッドに対しては先端が針状に尖ったものを、またスルーホールやパッド、ランドに盛り上げたハンダに対しては先端面に細かい突起を形成したセレーテッド型、多ポイントのクラウン型（王冠型）などがよく用いられる。
【００１２】
セレーテッド型、クラウン型のものはその直径が針型のものに比べて大きくなる。従ってセレーテッド型、クラウン型などではゴム薄膜に対する針入抵抗が針型のものに比べて著しく大きくなる。このため先端形状によってピン先端の針入量が不揃いになるから、クリーナ層に対する針入量にも変化が生じることになり、全てのテストプローブを均一にクリーニングすることが困難であった。
【００１３】
また従来のゴム薄膜は進入抵抗のバラツキが大きくなるのを避けるために十分に厚くできないから、プローブを抜くときにこのゴム薄膜による付着物の捕捉作用が不十分になるという問題もあった。
【００１４】
この発明はこのような事情に鑑みなされたものであり、プローブ先端形状が変化しても針入抵抗の変化を小さくでき、研磨層（クリーナ層）に対する針入量のバラツキを小さくして全てのテストプローブを均一にクリーニングすることができ、また表面での付着物捕捉作用を増大させてテストの信頼性向上と製品の歩止まり向上に適するテストプローブ用のクリーニングパッドを提供することを第１の目的とする。またこのクリーニングパッドを用いたクリーニング方法を提供することを第２の目的とする。
【課題を解決するための手段】
【００１５】
この発明によれば第１の目的は、電子回路の検査に用いるテストプローブの先端の付着物を除去するテストプローブ用のクリーニングパッドにおいて、微細な研磨剤が混入されかつ前記テストプローブの先端が進入可能な研磨層と、この研磨層の少なくとも一方の表面に積層され高分子ゲルから成る表面層とを備え、前記テストプローブの先端を前記表面層から研磨層に進入させることによりクリーニングするテストプローブ用のクリーニングパッド、により達成される。
【００１６】
第２の目的は、プローブプレートに保持したテストプローブの先端を、請求項１のクリーニングパッドに突き刺すことにより、テストプローブの先端の付着物を除去することを特徴とするテストプローブのクリーニング方法、により達成される。
【発明の効果】
【００１７】
研磨層に積層した表面層となる高分子ゲルは、極めて柔らかく流動性に優れたものであり、針入抵抗が極めて小さく低反発性に優れたものである。すなわちシリコーンゴムやウレタンゴムなどのゴムの架橋点を大幅に減らすことによってそのモジュラス（硬さ）を極端に下げたものであり、その柔らかさのために一般のゴム硬さ計では測定できず、針入度で硬さを表したりする。ここではＡＳＫＡＲ  タイプＣと、プローブの先端形状が比較的類似したＡＳＫＡＲ  タイプＡで測定し、これらを併用して表す。
【００１８】
この高分子ゲルを含む表面層にプローブピンを突き刺す際にはプローブピンの先端形状の影響を受けにくく全てのプローブピンを小さい力で突き刺すことができる。すなわち全てのプローブピンの針入抵抗を小さくし、研磨層に対するプローブピンの針入量のバラツキを小さくできる。このため表面層があっても、また表面層を十分厚くしてもその影響をほとんど受けることなく全てのプローブピンを研磨層に円滑に進入させてクリーニングできる。
【００１９】
また高分子ゲルは硬化後でもゲル状であって粘着性があるため、プローブピンの付着物が表面層に容易に捕捉される。このためプローブピンをクリーニングマットから抜く時にも付着物がプローブピンの先端に残ったり、周囲に飛散せず、テストの信頼性向上とテスト済み製品の歩止まり向上が図れる。特にこの高分子ゲルの表面層は厚くすることによりこの付着物の捕捉効果を増大させることができる。
【００２０】
請求項１０の発明によれば、本発明のクリーニングパッドを用いたテストプローブのクリーニング方法が得られる。
【図面の簡単な説明】
【００２１】
【図１】テスト装置によるテスト時を示す概念図である。
【図２】このテスト装置によるテストプローブのクリーニング時を示す概念図である。
【図３】本発明に係るクリーニングパッドの断面図である。
【図４】テストプローブの先端形状の例（円錐一本針型）を示す図である。
【図５】テストプローブの先端形状の例（鋭角三角錐型）を示す図である。
【図６】テストプローブの先端形状の例（８ポイントクラウン型）を示す図である。
【図７】テストプローブの先端形状の例（セレーテッド型）を示す図である。
【図８】クリーニングの経過を示す図である。
【図９】本発明に係るクリーニングパッドの他の実施例を示す断面図である。
【図１０】同じく他の実施例を示す断面図である。
【図１１】同じく他の実施例を示す断面図である。
【発明を実施するための形態】
【００２２】
表面層は針入抵抗が十分に小さいので厚くする（例えば研磨層より厚くする）ことができ、例えば実用効果から、研磨層の厚さを約３mmとし、この表面層を約７mmとすることができる。この表面層は、針入抵抗が小さい程、また流動性が大きい程、厚くすることができる。表面層は厚くすればそれだけテストプローブを抜く時の付着物除去作用が大きくなり、望ましい。通常この表面層は３mm以上であれば本発明の効果を得ることができ、好ましくは５mm以上（例えば１０mm）とするのがよい（請求項２）。
【００２３】
表面層はシリコーンゲル、ウレタンゲルのいずれか一方のみであってもよいが、これらの混合物であってもよく、さらに他の材料を混入したものであってもよい（請求項３）。
【００２４】
研磨層は微細な研磨材を混入した高分子コンパウンドを適切な硬さに硬化したものとすることができる。ここに高分子コンパウンドは例えばシリコンゴムの生ゴムに微細研磨材、重合開始剤を添加し、熟成させたものである。このコンパウンドは基板（支持板）に塗布し、加熱、加圧することにより適当な硬さをもった研磨層とすることができる（請求項４）。
【００２５】
研磨層は高分子ゲルに微細な研磨材を分散させたものであってもよい（請求項５）。この場合は表面層と研磨層に同一種の高分子ゲルを用いてもよい。また研磨層はプローブの先端を研磨するため表面層よりも硬い高分子ゲルを用いるのがよい。研磨材とプローブとの接触圧を高くして研磨性能を高めるためである。
【００２６】
研磨層に高分子ゲルを用いる場合には、表面層と研磨層を同じ高分子ゲルとしてここに混入する研磨材の分布を厚さ方向に不均一として、研磨材の混入量が多い領域を研磨層とし少ない領域を表面層とすることができる（請求項６）。この場合には研磨層の高分子ゲルを表面層より硬くしておくのがよい。
【００２７】
表面層は十分に柔らかくするのがよく、例えばＡＳＫＡＲのＣ硬度で１〜１０度、同じくＣ硬度で５〜３０度の柔らかさにするのがよい（請求項７）。研磨層はＡＳＫＡＲのＣ硬度で４０〜９０、さらに好ましくは５０〜６５の硬さが望ましい。表面層は研磨層の両面に積層しておけば、両面に回路を形成した回路基板の両面にテストプローブを接触させてテストする場合に、両面のテストプローブを一度に能率良くクリーニングすることができる（請求項８）。すなわち回路基板に代えてこのクリーニングパッドをテスト装置に挿入すればよいからである。
【００２８】
表面層に含まれる高分子ゲルは、テストプローブの進入穴の跡を自己修復できるものでもよい（請求項９）。この場合には何度もテストプローブを突き刺してクリーニングを行ったために同じ場所が傷んで十分な効果が得られなくなるのを防ぐことができる。
【００２９】
このような自己修復作用を持つものとしては、例えば自己修復作用をもつ化学反応剤をマイクロカプセルや中空フィラーに入れて高分子ゲルに混入しておくものが考えられる（請求項９）。この時にはプローブが進入（針入）してマイクロカプセル、中空フィラーを破壊して自己修復作用を自律的に発現させることができる。
【００３０】
本発明によればプローブプレートに保持したテストプローブは、その先端をこのクリーニングパッドに突き刺し、表面層を通して研磨層に入れて付着物を削り取り除去するものである（請求項１０）。この時表面層の厚さを十分に厚くして、クリーニングパッドにプローブプレートを押し付けた時にクリーニングパッドの表面がプローブプレートの表面に接触するようにするのが望ましい（請求項１１）。このようにすれば、表面層の粘着力によってプローブプレートの表面に付いた微細なゴミやテストプローブの先端から飛散した付着物などを捕捉することができるからである。
【００３１】
またテストプローブとクリーニングパッドの少なくとも一方に振動（例えば高周波振動あるいは超音波振動）を加えることも望ましい（請求項１２）。この場合には、テストプローブをクリーニングパッドに突き刺したり抜いたりする際の動作が円滑になり、付着物の除去効果が向上する。特にテストプローブに小さい圧力で突き刺すことができ、抜く時にテストプローブと表面層との分離性を向上できる。
【実施例１】
【００３２】
図１、２において符号１０は下側プローブプレート、１２は上側プローブプレート、１４はこれらの間に水平に保持されるプリント配線板（ＰＣＢ）である。これらのプローブプレート１０，１２にはそれぞれ多数のテストプローブ１６，１８が貫通して保持されている。ここにテストプローブ１６，１８はばね内蔵のものであり、先端のプローブピンがピンソケットに伸縮自在に保持されると共に、このプローブソケットに内蔵したばねによりプローブピンに突出方向への復帰習性を付与したものである。プローブプレート１０，１２にはプローブソケット部分が保持されプローブピンがプリント配線板（ＰＣＢ）１４の下面および上面の電子回路に対向している。なおテストプローブ１６、１８はばね内蔵式のものに代えて、先端が弾性をもって湾曲するもの（ワイヤープローブ）であってもよい。
【００３３】
ＰＣＢ１４の下面にはプリント回路が形成され、上面にはＩＣ、抵抗器などの表面実装型の電子部品２０が実装されている。下側のテストプローブ１６は下面のプリント回路のランドやパッド、スルーホール等に対向し、上側のテストプローブ１８は上面の部品２０の間から上面のプリント回路や部品のリードやスルーホールなどに対向している。下側のプローブプレート１０はその下面を図示しない支持台に載せて保持されている。
【００３４】
上側のプローブプレート１２は上下動可能な可動台２２に保持されている。すなわちこの可動台２２には、ＰＣＢ１４に重ならない位置（例えば四隅）から下向きに延びる複数のガイドピン２４が固定され、前記上側のプローブプレート１２はこれらのガイドピン２４に保持されている。なお下側のプローブプレート１２にはこれらのガイドピン２４が貫通するガイド孔２６が形成されている。
【００３５】
可動台２２，上側のＰＣＢ１４は下側のＰＣＢ１０と平行であり、上側のプローブプレート１２はガイドピン２４にガイドされて常に下側のプローブプレート１０と平行に上下動する。テストの対象であるＰＣＢ１４は、下側のプローブプレート１０に位置決めされて保持され、この状態で上側のプローブプレート１２が可動台２２と共に下降する。プローブプレート１０，１２のテストプローブ１６，１８は、この上側のプローブプレート１２が下降した時に、ＰＣＢ１４の下面および上面の電子回路の所定位置に所定圧力をもって接触する。
【００３６】
なおこの時、テストプローブ１６，１８の先端（プローブピン）は、ばね内蔵式のものではテストプローブ１６，１８の内蔵ばねを圧縮し、ばね非内蔵式（ワイヤープローブ式）のものではワイヤープローブが曲がることによって接触位置の高さのバラツキによる接触不良を防ぐ。また下のプローブプレート１０とＰＣＢ１４の下面との間には、適宜の場所（テストプローブ１６と干渉しない位置）に緩衝部材（図示せず）が介在され、ＰＣＢ１４の湾曲や歪みの発生が防止される。
【００３７】
下側のプローブプレート１０と上側のプローブプレート１２の対向面には、ＰＣＢ１４と干渉しない位置に、互いに係脱可能なコネクタ２８の雄側２８ａと雌側２８ｂとが固定されている。上側のプローブプレート１２に固定した雌側２８ｂは、テストプローブ１８が配線３０により接続されている。この結果上側のプローブプレート１２が下降してテストプローブ１６，１８がＰＣＢ１４の下面および上側に接触した時に、コネクタ２８の雌側２８ｂが雄側２８ａに接続される。
【００３８】
雄側２８ａの接続ピンは下側のプローブテスト１０を貫通してコンピュータ３２に接続される。下側のプローブプレート１０のテストプローブ１６もこのコンピュータ３２に接続される。コンピュータ３２は所定のテストプログラムに従って所定のテストプローブ１６，１８の電気特性を測定し、ＰＣＢ１４の良否を判別する。
【００３９】
テストが終わると可動台２２を上昇させてプローブプレート１０，１２を離隔させる。そしてＰＣＢ１４を交換した後再び可動台２２を下降させ、異なるＰＣＢ１４についてテストを繰り返す。
【００４０】
このようにテストの度にテストプローブ１６，１８をＰＣＢ１４の電気回路に接触させると、テストプローブ１６，１８の先端に付着物が付着する。例えば電気回路のメッキ材料の酸化物や、はんだ付け部のはんだ、表面に塗ったはんだフラックス等が、テストプローブの先端によって削り取られ、付着物となる。この付着物は電気回路の電気特性の測定精度に悪影響を及ぼし、テスト精度の低下を招く。また脱落した付着物が周囲に飛散してプローブプレート１０，１２に付着し、さらにＰＣＢ１４に付着すると、ＰＣＢ１４の歩止まりを低下させる。
【００４１】
そこで所定枚数のＰＣＢ１４をテストした後に、テストプローブ１６，１８の先端をクリーニングパッド４０に突き刺して付着物を除去している。すなわちクリーニングする。このクリーニング処理は図２に示すように、ＰＣＢ１４の代わりにこのＰＣＢ１４と略同一寸法のクリーニングパッド４０をセットして可動台２２を空気圧あるいは空気負圧を利用して下降させることによって行う。ここに用いるクリーニングパッド４０は例えば図３に示す構造のものである。
【００４２】
この図３において４２は研磨層、４４はこの研磨層４２の両面に積層した表面層である。研磨層４２は微細な研磨材を練り込んだ高分子コンパウンドを適切な硬さに硬化させたものである。ここに研磨材は、例えば硅砂、ガラス粉末などの石英系の微細粒、セラミックス砥粒、酸化アルミニウム砥粒、アルミナセラミックス砥粒などが適する。高分子コンパウンドは、ゴム系あるいは軟質樹脂系のもので、厚さ３mmのものが適する。
【００４３】
表面層４４は、シリコーンゲルあるいはウレタンゲルなどの高分子ゲルで形成される。この高分子ゲルは極めて柔らかく（超軟質）、流動性があり、針入抵抗が極めて小さく、低反発性の材料である。例えばＡＳＫＡＲ（アスカー）硬度計のタイプＣ硬度で１〜１０度、タイプＣ硬度で５〜３０度の柔らかさのもので、厚さ７mmのものが適する。またこの高分子ゲルは自己粘着性をもつ。
【００４４】
このように表面層を厚くしてもテストプローブ１６，１８の針入抵抗が大きくならないからテストプローブ１６，１８は表面層４４を容易に突き抜けて研磨層４２に到達し、この研磨層４２に針入してテストプローブ１６，１８の先端の付着物を研磨できる。
【００４５】
テストプローブ１６，１８を抜く時にはテストプローブ１６，１８の先端は再び表面層４４を逆方向に通るから、この表面層４４の粘着性により、研磨層４２で削り落とされた付着物を確実に捕捉することができる。このため削り落とした付着物が周囲に飛散することがない。
【００４６】
テストプローブ１６，１８の先端形状は電気回路の構造に対応して種々のものが予め用意され、接触させる電気回路の場所により使い分けられる。図４〜８はこれらの先端形状の例を示す図である。これら図４〜８の（Ａ）はプローブピン先端５０（５０Ａ〜５０Ｅ）の形状を示す斜視図、（Ｂ）はその使用状態を示す図である。
【００４７】
図４は、円錐１本針型の先端５０Ａ（プローブピンの先端）を示し、これはＰＣＢ１４Ａのはんだ盛り付け部５２Ａに接触させる時に用いる。図５は先端５０Ｂを３つの平面で形成して鋭角三角錐型としたものである。これはＰＣＢ１４Ｂのスルーホール５４Ａに先端を進入させたり、回路パターンのランド５４Ｂに先端を突き当てて使用する。
【００４８】
図６の先端５０Ｃは、８個の針状の突起を環状に並べた８ポイントクラウン型のものである。この先端５０Ｃは、ＰＣＢ１４Ｃに貫通させてはんだ付けした電子部品５８Ａのピン型のリード５８Ｂに接触させる時に用いる。リード５８Ｂの先端は直立しているものばかりでなく傾いていることも多い。この先端５０Ｄはリード５８Ｂが多少傾いていても常に確実に接触することができる。
【００４９】
図７の先端５０Ｄは、端面に多数の突起を平面的に並べてセレーション状としたセレーテッド型のものである。この先端５０Ｄは、前記図６のクラウン型のものと同様に、電子部品６０Ａのピン型のリード６０Ｂに接触させるのに適する。
【００５０】
このようにテストプローブ１６，１８の先端には種々の形状のが有る。このため一般にクリーニングパッドに突き刺す時の進入抵抗（針入抵抗）が先端形状により変化する。例えば図４，５のような略針状のものに比べて、図６，７のものは断面積が大きくなり進入抵抗が大きい。このため全てのテストプローブ１６，１８を同じ力でクリーニングパッドに突き刺したのでは進入量（針入量）に大きな差が生じる。
【００５１】
しかし本発明に係るクリーニングパッド４０は、表面が高分子ゲルの表面層４４で覆われているので、テストプローブ１６，１８はほとんど抵抗を受けることなく表面層４４を通過して研磨層４２に到達する。
【００５２】
図８はこの時のクリーニングの経過を示す図である。なおこの図８では表面層４４を研磨層４２の上面だけに積層している。またプローブピン先端５０としては針入抵抗が大きいクラウン型を用いるものとする。
【００５３】
まず先端５０が表面層４４に進入すると、先端５０の端面により高分子ゲルが突起の間から周囲に押し出される（図８の（Ａ））。この時高分子ゲルは流動性が大きく低反発性であるから先端５０の進入抵抗は小さい。そして先端５０が研磨層４２に進入して研磨され、先端５０の付着物が削り取られる。
【００５４】
先端５０を引き上げると、表面層４４の高分子ゲルの復元性により、先端５０の突起の間に高分子ゲルが流入する（図８の（Ｂ））。高分子ゲルには粘着性があるので、研磨層４２で削り落とした付着物がこの先端５０に付着していても、高分子ゲルに捕捉される。このため削り落とした付着物が周囲に飛散することがない。先端５０が表面層４４から離れると、表面層４４に付いた先端５０の傷は高分子ゲルの復元性により修復される（図８の（Ｃ））。従って先端５０が付けた傷が次回のクリーニング時に障害となることがない。
【実施例２】
【００５５】
図９は本発明の他の実施例であるクリーニングパッド４０Ａを示す断面図である。このクリーニングパッド４０Ａは、前記図３に示したクリーニングパッド４０における研磨層４２を変更したものである。ここで用いる研磨層４２Ａは、高分子コンパウンドに代えて高分子ゲルを用いたものである。
【００５６】
この実施例によれば、テストプローブ先端５０は表面層４４だけでなく研磨層４２Ａにも低進入抵抗かつ低反発力で進入できる。このため先端５０の形状の影響を一層受けにくくなる。なおここに混入した研磨材がプローブ先端を確実に研磨するためには、ここに用いる高分子ゲルは適度な硬さを有するものが望ましい。
【実施例３】
【００５７】
図１０は本発明の他の実施例であるクリーニングパッド４０Ｂの断面図である。この実施例は、２枚の研磨層４２Ａの間に基板４２Ｂを挟んだものである。ここに基板４２Ｂは、適当な硬さを持つ樹脂や硬質ゴムで作られ、クリーニングパッド４０Ｂ全体の剛性を高めるものである。
【実施例４】
【００５８】
図１１は本発明の他の実施例であるクリーニングパッド４０Ｃの断面図である。この実施例は、前記図３に示したものにおいて、表面層４４を研磨層４２の片面だけに積層したものである。前記図１〜３に示した実施例では、上下のプローブプレート１０，１２に保持したテストプローブ１６，１８を同時にクリーニングするため、両面に表面層４４を積層したものである。しかしＰＣＢの片面だけや、ウェハの回路をテストする装置ではプローブプレートは１枚であるから、このような装置で用いるクリーニングパッドはこの図１１に示すような片面だけに表面層を設けたものが適する。
【符号の説明】
【００５９】
１０、１２  プローブプレート
１４  プリント配線板（ＰＣＢ）
１６、１８  テストプローブ
２０  電子部品
２２  可動台
４０、４０Ａ〜４０Ｃ  クリーニングパッド
４２、４２Ａ  研磨層
４４  表面層
５０、５０Ａ〜５０Ｄ  プローブピンの先端
【図１】
2012198024.tif 000003
【図２】
2012198024.tif 000004
【図３】
2012198024.tif 000005
【図４】
2012198024.tif 000006
【図５】
2012198024.tif 000007
【図６】
2012198024.tif 000008
【図７】
2012198024.tif 000009
【図８】
2012198024.tif 000010
【図９】
2012198024.tif 000011
【図１０】
2012198024.tif 000012
【図１１】
2012198024.tif 000013